(57)【要約】  表示パネル（２）が有する複数のゲート信号ライン（Ｇ）を順次走査する走査期間と、複数のゲート信号ライン（Ｇ）の順次走査を休止する休止期間とをそれぞれ設定することにより、表示パネル（２）のリフレッシュレートを変更するリフレッシュレート変更部（１５）と、走査期間と休止期間との比に応じて、前記走査期間において各ゲート信号ラインを駆動する駆動時間を制御する駆動量制御部（２０）とを備える。
2013125405.tif 000002
【特許請求の範囲】
【請求項１】
複数の画素を有する表示パネルを駆動する駆動装置であって、
前記表示パネルが有する複数のゲート信号ラインを順次走査する走査期間と、前記複数のゲート信号ラインの順次走査を休止する休止期間とをそれぞれ設定することにより、前記表示パネルのリフレッシュレートを変更するリフレッシュレート変更手段と、
前記走査期間と前記休止期間との比に応じて、前記走査期間において各ゲート信号ラインを駆動する駆動時間を制御する駆動量制御手段と
を備えることを特徴とする駆動装置。
【請求項２】
前記駆動量制御手段は、
前記複数のゲート信号ラインの各々について、当該ゲート信号ラインの駆動時間と、当該ゲート信号ラインの前記駆動時間以外の非駆動時間との比が、リフレッシュレートの変更前後で一定に保たれるように、当該ゲート信号ラインの駆動時間を制御する
ことを特徴とする請求項１に記載の駆動装置。
【請求項３】
前記駆動量制御手段は、
前記複数のゲート信号ラインの各々について、当該ゲート信号ラインの駆動パルスのパルス幅を制御することにより、当該ゲート信号ラインの駆動時間を制御する
ことを特徴とする請求項１または２に記載の駆動装置。
【請求項４】
前記駆動量制御手段は、
前記複数のゲート信号ラインの各々について、当該ゲート信号ラインの駆動パルスのパルス数を制御することにより、当該ゲート信号ラインの駆動時間を制御する
ことを特徴とする請求項１から３のいずれか一項に記載の駆動装置。
【請求項５】
複数の画素を有する表示パネルと、
請求項１から４のいずれか一項に記載の駆動装置を備えたことを特徴とする表示装置。
【請求項６】
前記複数の画素の各々が有するスイッチング素子の半導体層には、酸化物半導体が用いられていることを特徴とする請求項５に記載の表示装置。
【請求項７】
前記酸化物半導体は、インジウム（Ｉｎ）、ガリウム（Ｇａ）、および亜鉛（Ｚｎ）から構成される酸化物であることを特徴とする請求項６に記載の表示装置。
【発明の詳細な説明】
【技術分野】
【０００１】
本発明は、駆動装置および表示装置に関する。
【背景技術】
【０００２】
近年、電子書籍端末、スマートフォン、携帯電話、ＰＤＡ（携帯型情報端末）、ラップトップ型パーソナルコンピュータ、携帯ゲーム機、カーナビゲーション装置等の各種情報端末においては、液晶表示装置等の比較的薄型の表示装置が多く利用されている。このような表示装置においては、消費電力を低下させることや、表示画質を向上させることが共通の課題となっている。そこで、従来、表示装置に関し、このような課題を解決することを目的とした様々な技術が考案されている。【０００３】
例えば、表示画質を向上させるための技術として、リフレッシュレートを上げる方法が挙げられる。例えば、動画を表示する際に、リフレッシュレートを「６０Ｈｚ（すなわち、６０ｆｐｓ）」から「１２０Ｈｚ（すなわち、１２０ｆｐｓ）」に上げることにより、より滑らかな動きを表現することができるとともに、フリッカなどの表示不具合の発生を抑制することができる。【０００４】
しかしながら、リフレッシュレートが高まるにつれて、その分表示パネルの走査回数が増加するため、消費電力が増加することとなる。このため、表示画質の向上よりも消費電力の低減を重視する場合には、反対に、リフレッシュレートを下げるといった技術が用いられる場合がある。【０００５】
例えば、下記特許文献１には、擬似輪郭が発生しやすい時またはそれが目立つ映像表示時には、積極的にリフレッシュレートを高速化して画質を改善し、擬似輪郭が発生しにくい場合または発生しても目立たない映像の場合には、積極的にリフレッシュレートを下げて低消費電力化する技術が開示されている。【０００６】
一方、液晶表示装置においては、液晶の応答時間に対する書き込み時間が短いと、その電圧保持率が低下し、結果的にコントラスト比の低下を招くことが知られている。特に近年では、表示パネルの高解像度化が顕著であり、これに伴って各走査線に対する書き込み時間が短くなってきているため、このような問題が生じ易い。【０００７】
そこで、このような問題を解決すべく、下記引用文献２には、２線同時駆動法（ダブルスキャン式）を用いて、各走査線に対して２回の書き込みを行うことにより、液晶の電圧保持率を高めるといった技術が開示されている。
【先行技術文献】
【特許文献】
【０００８】
【特許文献１】日本国公開特許公報「特開２０１０−１４５８１０号公報（公開日：２０１０年７月１日）」
【特許文献２】日本国公開特許公報「特開平１０−９６８９３号公報（公開日：１９９８年４月１４日）」
【発明の概要】
【発明が解決しようとする課題】
【０００９】
（従来の表示装置によるリフレッシュレートの変更例）
ここで、図５を参照して、従来の表示装置によるリフレッシュレートの変更例を説明する。図５は、従来の表示装置によるリフレッシュレートの変更例を示す図である。【００１０】
図５（ａ）〜（ｃ）は、フレーム期間の構成、および、各フレーム期間における各ゲート信号ラインの駆動パルスのパルス波形を示すものである。このうち、図５（ａ）は、通常駆動時を示す。また、図５（ｂ）は、リフレッシュレートの変更時（通常駆動時の１／２）を示す。また、図５（ｃ）は、リフレッシュレートの変更時（通常駆動時の１／３）を示す。【００１１】
一方、図５（ａ）〜（ｃ）において、Ｖｓｙｎｃは、フレーム期間毎に発生する垂直同期信号のパルス波形を示す。また、Ｖｇ（０）は、１行目（先頭行）のゲート信号ラインの駆動パルスのパルス波形を示す。また、Ｖｇ（ｍ）は、ｍ行目のゲート信号ラインの駆動パルスのパルス波形を示す。そして、Ｖｇ（Ｍ）は、Ｍ行目（末尾行）のゲート信号ラインの駆動パルスのパルス波形を示す。【００１２】
この図５では、従来の表示装置により、複数のゲート信号ラインを走査しないフレーム期間（以下、「休止期間」と示す）を設けることにより、表示パネルのリフレッシュレートを変更する例を示している。【００１３】
例えば、従来の表示装置では、通常駆動時（すなわち、基準のリフレッシュレートによる表示パネルの駆動時）には、図５（ａ）に示すように、複数のゲート信号ラインを走査するフレーム期間（以下、「走査期間」と示す）が複数連続して設けられる。例えば、通常駆動時のリフレッシュレートが６０Ｈｚの場合は、１秒間あたり６０回の走査期間が連続して設けられる。【００１４】
そして、従来の表示装置は、リフレッシュレート変更時には、一部のフレーム期間を、休止期間に変更する。例えば、リフレッシュレートを６０Ｈｚから３０Ｈｚへ変更する場合は、図５（ｂ）に示すように、１つの走査期間と１つの休止期間とが交互に設けられ、走査期間と休止期間との比が１：１となるように、リフレッシュレート変更前の複数のフレーム期間のうち、該当するフレーム期間を走査期間から休止期間に変更する。これにより、１秒間あたりの走査回数が３０となり、表示パネルのリフレッシュレートは、６０Ｈｚから３０Ｈｚへ変更されることとなる。【００１５】
同様に、リフレッシュレートを６０Ｈｚから２０Ｈｚへ変更する場合は、図５（ｃ）に示すように、１つの走査期間と２つの休止期間とが交互に設けられ、走査期間と休止期間との比が１：２となるように、リフレッシュレート変更前の複数のフレーム期間のうち、該当するフレーム期間を走査期間から休止期間に変更する。これにより、１秒間あたりの走査回数が２０となり、表示パネルのリフレッシュレートは、６０Ｈｚから２０Ｈｚへ変更されることとなる。【００１６】
このように、休止期間を設けることによりリフレッシュレートを変更することで、表示パネルの走査期間を短時間化することができるため、走査期間の長さを調整することによりリフレッシュレートを変更するよりも、消費電力を削減することができる。【００１７】
ここで、図５（ａ）〜（ｃ）に示すとおり、リフレッシュレートの変更前後において、各ゲート信号ラインの駆動期間（ＯＮ電圧（Ｈｉレベル電圧）が印加されている期間）の長さは変化しない。これに対し、リフレッシュレートの変更前後において、各ゲート信号ラインの非駆動期間（上記駆動期間以外の期間であり、ＯＦＦ電圧（Ｌｏレベル電圧）が印加されている期間）の長さは変化する。【００１８】
例えば、図５（ａ）〜（ｃ）に示す例では、リフレッシュレートに関わらず、各ゲート信号ラインの駆動パルスのパルス数は「１」であり、そのパルス幅も固定されたままである。【００１９】
これに対し、例えば、リフレッシュレートを１／２に変更（例えば、６０Ｈｚから３０Ｈｚに変更）した場合、走査期間と休止期間との比が１：１となるように、１つの走査期間と１つの休止期間とが交互に設けられるため、各ゲート信号ラインの非駆動期間の長さは、２つの休止期間分（例えば、２／６０秒）に延長される。【００２０】
また、リフレッシュレートを１／３に変更（例えば、６０Ｈｚから２０Ｈｚに変更）した場合、走査期間と休止期間との比が１：２となるように、１つの走査期間と２つの休止期間とが交互に設けられるため、各ゲート信号ラインの非駆動期間の長さは、３つの休止期間分（例えば、３／６０秒）に延長される。【００２１】
このように、休止期間を設けることによってリフレッシュレートを変更する構成を採用した場合、従来の表示装置では、リフレッシュレートの変更に伴い、各ゲート信号ラインの駆動期間の長さと非駆動期間の長さとのデューティ比（以下、「ＯＮ／ＯＦＦ比率」と示す。）が変動してしまう。特に近年では、画素のスイッチング素子のＯＦＦ特性の向上に伴い、休止期間を長時間化することが可能となっているため、このようなＯＮ／ＯＦＦ比率の変動が生じ易くなっている。【００２２】
また、上記特許文献２に記載されているように、単に各ゲート信号ラインに対する走査時の書き込み回数を増加するだけでは、やはり各ゲート信号ラインのＯＮ／ＯＦＦ比率が変動してしまう。【００２３】
そして、このようなＯＮ／ＯＦＦ比率の変動は、各画素を構成するスイッチング素子の閾値電圧の変動を招いてしまう。【００２４】
各画素のスイッチング素子は、そのスイッチング素子を予め定められたＯＮ／ＯＦＦ比率で動作させたときに、予め定められたＯＮ電圧およびＯＦＦ電圧で動作するように設計されている。このため、上記したように、表示パネルのリフレッシュレートを大きく変更したり、各ゲート信号ラインに対する走査時の書き込み回数を増加したりしてしまうと、各スイッチング素子のＯＮ／ＯＦＦ比率も大きく変更されてしまい、これにより、各スイッチング素子の閾値電圧にズレが生じてしまう。その結果、各スイッチング素子が予め定められたＯＮ電圧およびＯＦＦ電圧で動作できなくなってしまう。【００２５】
（スイッチング素子の閾値電圧の変動）
ここで、図６および図７を参照して、スイッチング素子のＯＮ／ＯＦＦ比率の変動による、その閾値電圧が変動する例について説明する。図６は、表示パネルの画素に用いられるスイッチング素子の特性を示す図である。図７は、スイッチング素子のＯＮ／ＯＦＦ比率と、閾値電圧Ｖｔｈの安定度とを、表示パネルの画像解像度毎に示す表である。このときの駆動方法は休止駆動を用いていない例である。【００２６】
図７に示すように、あるスイッチング素子を、ＶＧＡサイズ（６４０×４８０画素）の表示パネルに用いた場合、そのスイッチング素子のＯＮ／ＯＦＦ比率は「０．１７％」となる。この場合、図７において上記閾値電圧Ｖｔｈの安定度が「◎」と示されているように、スイッチング素子を正常に動作させることができる。【００２７】
例えば、図６に示すように、所定の電圧Ｖｇｈを印加したときには、ＯＮ状態で安定し、所定の電圧Ｖｇｌを印加した場合には、ＯＦＦ状態で安定する。すなわち、このスイッチング素子は、そのＯＮ／ＯＦＦ比率が「０．１７％」となるような表示パネルに用いた場合に、上記電圧Ｖｇｈおよび上記電圧Ｖｇｌによって、安定して動作するものであることが分かる。【００２８】
一方、図７に示すように、ＸＧＡサイズ（１０２４×７６８画素）、ＦＨＤサイズ（１９２０×１０８０画素）、ＱＸＧＡサイズ（２０４８×１５３６画素）、ＱＦＨＤサイズ（３８４０×２１６０画素）、８Ｋ４Ｋサイズ（７６８０×４３２０画素）というように、表示パネルの画像解像度が高まるにつれ、上記ＯＮ／ＯＦＦ比率は、「０．１１％」、「０．０８％」、「０．０５％」、「０．０４％」、「０．０２％」というように、次第に小さくなっていく。【００２９】
この場合、図６に示すように、上記ＯＮ／ＯＦＦ比率が小さくなるにつれ、上記閾値電圧Ｖｔｈが低電圧側にシフトしていく。このシフト量が大きいと、スイッチング素子が正常に動作することができなくなってしまう。例えば、上記ＯＮ／ＯＦＦ比率が「０．０８％」以下になると、図７において閾値電圧Ｖｔｈの安定度が「△」または「×」と示されているように、スイッチング素子を正常に動作させることができなくなる。【００３０】
例えば、上記電圧Ｖｇｌを印加したにも関わらず、スイッチング素子がＯＮ状態からＯＦＦ状態に切り替わらないといった不具合が生じてしまう。【００３１】
このようなＯＮ／ＯＦＦ比率の低下よるスイッチング素子の動作不具合は、表示パネルの画像解像度が高められた場合のみならず、図５を参照して説明したように、リフレッシュレートの変更により走査期間と休止期間との比が変更された場合にも生じ得る。【００３２】
本発明は、前記の問題に鑑みてなされたものであり、その目的は、表示パネルのリフレッシュレート変更に伴うスイッチング素子の動作不具合が発生し難い表示装置を提供することにある。
【課題を解決するための手段】
【００３３】
上述した課題を解決するため、本発明に係る駆動装置は、複数の画素を有する表示パネルを駆動する駆動装置であって、前記表示パネルが有する複数のゲート信号ラインを順次走査する走査期間と、前記複数のゲート信号ラインの順次走査を休止する休止期間とをそれぞれ設定することにより、前記表示パネルのリフレッシュレートを変更するリフレッシュレート変更手段と、前記走査期間と前記休止期間との比に応じて、前記走査期間において各ゲート信号ラインを駆動する駆動時間を制御する駆動量制御手段とを備えることを特徴とする。
【発明の効果】
【００３４】
本発明によれば、表示パネルのリフレッシュレートの変更に応じて、各スイッチング素子のＯＮ／ＯＦＦ比率を適切なものへと調整することができる。これにより、スイッチング素子の閾値電圧のシフトを抑制することができる。よって、表示パネルのリフレッシュレート変更に伴うスイッチング素子の動作不具合が発生し難い表示装置を提供することができる。
【図面の簡単な説明】
【００３５】
【図１】実施形態１に係る表示装置の全体構成を示す図である。
【図２】実施形態１に係る表示装置による、リフレッシュレートの変更例、および各ゲート信号ラインの駆動期間の長さの制御例を示す図である。
【図３】実施形態２に係る表示装置による、リフレッシュレートの変更例、および各ゲート信号ラインの駆動期間の長さの制御例を示す図である。
【図４】酸化物半導体を用いたＴＦＴを含む、各種ＴＦＴの特性を示す図である。
【図５】従来の表示装置によるリフレッシュレートの変更例を示す図である。
【図６】表示パネルの画素に用いられるスイッチング素子の特性を示す図である。
【図７】スイッチング素子のＯＮ／ＯＦＦ比率と、閾値電圧の安定度とを、表示パネルの解像度毎に示す表である。
【発明を実施するための形態】
【００３６】
（実施形態１）
本発明に係る実施形態について、図面を参照して以下に説明する。まず、本発明に係る実施形態１について説明する。
【００３７】
（表示装置の構成）
はじめに、図１を参照して、実施形態１に係る表示装置１の構成例について説明する。図１は、実施形態１に係る表示装置１の全体構成を示す図である。
【００３８】
図１に示すように、表示装置１は、表示パネル２、ディスプレイ駆動回路１０、および電源生成回路２８を備えている。このうち、ディスプレイ駆動回路１０は、タイミングコントローラ１２、走査線駆動回路１４、信号線駆動回路１６、および共通電極駆動回路１８を備えている。
【００３９】
この表示装置１は、電子書籍端末、スマートフォン、携帯電話、ＰＤＡ、ラップトップ型パーソナルコンピュータ、携帯ゲーム機、カーナビゲーション装置等において、各種情報を表示するための表示装置として搭載されるものである。本実施形態では、表示装置１としてアクティブマトリクス型の液晶表示装置を採用している。したがって、本実施形態の表示パネル２は、アクティブマトリクス型の液晶表示パネルであり、上記したその他の構成要素は、このような液晶表示パネルを駆動するように構成されている。
【００４０】
（表示パネル）
表示パネル２は、複数の画素、複数のゲート信号ラインＧ、および複数のソース信号ラインＳを備えている。
【００４１】
複数の画素は、複数の画素列および複数の画素行からなる、いわゆる格子状に配設されている。
【００４２】
複数のゲート信号ラインＧは、画素列方向（画素列に沿った方向）に並設されている。複数のゲート信号ラインＧの各々は、複数の画素行のうちの対応する画素行の各々の画素に対して電気的に接続されている。
【００４３】
複数のソース信号ラインＳは、画素行方向（画素行に沿った方向）に並設されており、いずれも複数のゲート信号ラインＧの各々と直交している。複数のソース信号ラインＳの各々は、複数の画素列のうちの対応する画素列の各々の画素に対して電気的に接続されている。
【００４４】
図１に示す例では、表示パネル２には、Ｎ列×Ｍ行に配設された複数の画素が設けられていることに応じて、Ｎ本のソース信号ラインＳ、およびＭ本のゲート信号ラインＧが設けられている。
【００４５】
（走査線駆動回路）
走査線駆動回路１４は、複数のゲート信号ラインＧを順次選択して走査する。具体的には、走査線駆動回路１４は、複数のゲート信号ラインＧを順次選択し、選択したゲート信号ラインＧに対して、当該ゲート信号ラインＧ上の各画素に備えられたスイッチング素子（ＴＦＴ）をＯＮに切り替えるためのＯＮ電圧を供給する。
【００４６】
（信号線駆動回路）
信号線駆動回路１６は、ゲート信号ラインＧが選択されている間、そのゲート信号ラインＧ上の各画素に対して、対応するソース信号ラインＳから、画像データに応じたソース信号を供給する。具体的に説明すると、信号線駆動回路１６は、入力された映像信号に基づいて、選択されたゲート信号ラインＧ上の各画素に出力すべき電圧の値を算出し、その値の電圧をソース出力アンプ（図示を省略する）から各ソース信号ラインＳに向けて出力する。その結果、選択されたゲート信号ラインＧ上の各画素に対してソース信号が供給され、このソース信号が書き込まれることとなる。
【００４７】
（共通電極駆動回路）
共通電極駆動回路１８は、複数の画素の各々に設けられている共通電極に対し、当該共通電極を駆動するための所定の共通電圧を供給する。
【００４８】
（タイミングコントローラ）
タイミングコントローラ１２には、外部（図１に示す例では、システム側コントロール部３０としているが、これに限らない。）から映像信号および制御信号が入力される。ここでいう映像信号とは、クロック信号、同期信号、画像データ信号を含んでいる。また、制御信号には、リフレッシュレートの変更指示が含まれる場合がある。そして、タイミングコントローラ１２は、この映像信号および制御信号に従って、図１において実線矢印で示されているように、各駆動回路が同期して動作するための各種制御信号を各駆動回路に対して出力する。
【００４９】
例えば、タイミングコントローラ１２は、走査線駆動回路１４に対して、ゲートスタートパルス信号、ゲートクロック信号ＧＣＫ、およびゲート出力制御信号ＧＯＥを供給する。走査線駆動回路１４は、ゲートスタートパルス信号を受け取ると、複数のゲート信号ラインＧの走査を開始する。そして、走査線駆動回路１４は、ゲートクロック信号ＧＣＫおよびゲート出力制御信号ＧＯＥに従って、各ゲート信号ラインＧに対して、順次ＯＮ電圧を供給していく。
【００５０】
また、タイミングコントローラ１２は、信号線駆動回路１６に対して、ソーススタートパルス信号、ソースラッチストローブ信号、およびソースクロック信号を出力する。信号線駆動回路１６は、ソーススタートパルス信号に基づいて、入力された各画素の画像データをソースクロック信号に従ってレジスタに蓄え、次のソースラッチストローブ信号に従って、各ソース信号ラインＳに対し、画像データに応じたソース信号を供給する。
【００５１】
（電源生成回路）
電源生成回路２８は、外部（図１に示す例では、システム側コントロール部３０としているが、これに限らない。）から供給された入力電源から、走査線駆動回路１４、信号線駆動回路１６、および共通電極駆動回路１８が必要とする電圧の各々を生成する。そして、図１において点線矢印で示されているように、電源生成回路２８は、走査線駆動回路１４、信号線駆動回路１６、および共通電極駆動回路１８の各々に対して、生成した電圧を供給する。
【００５２】
（表示装置１のさらなる機能）
ここで、表示装置１が備えるさらなる機能について説明する。表示装置１は、リフレッシュレート変更部１５および駆動量制御部２０をさらに備えている。図１に示す例では、リフレッシュレート変更部１５および駆動量制御部２０は、タイミングコントローラ１２に備えられているが、これに限らず、タイミングコントローラ１２以外の回路等に備えられていてもよい。
【００５３】
（リフレッシュレート変更部１５）
リフレッシュレート変更部１５は、表示パネル２のリフレッシュレートを変更する。リフレッシュレートとは、表示パネル２の表示を書き換える頻度を示すものである。例えば、リフレッシュレートが「６０Ｈｚ」の場合は、１秒間に６０回表示パネル２の表示を書き換え（すなわち、１秒間に６０フレームを表示し）、リフレッシュレートが「３０Ｈｚ」の場合は、１秒間に３０回表示パネル２の表示を書き換える（すなわち、１秒間に３０フレームを表示する）ということである。
【００５４】
一般的に、表示パネルにおいては、リフレッシュレートが高くなるほど、表示画質が良くなる一方、書き換えの頻度が高くなるために、消費電力が高くなる。したがって、例えば、動画を表示する場合や、高画質モードが選択された場合等、表示画質を優先する場合には、リフレッシュレートが高く設定され、静止画を表示する場合や、低消費電力モードが選択された場合等、低消費電力を優先する場合には、リフレッシュレートが低く設定される場合がある。
【００５５】
本実施形態では、表示装置１は、リフレッシュレートの変更指示を外部装置（例えば、システムコントロール部３０）から受け取る。これに応じて、リフレッシュレート変更部１５が、リフレッシュレートを変更する。
【００５６】
表示パネル２のリフレッシュレートが変更されると、表示装置１の各部は、タイミングコントローラ１２からの各種制御信号に従って、変更後のリフレッシュレートで表示パネル２が表示動作を行うように、表示パネル２を駆動することとなる。
【００５７】
（駆動量制御部２０）
駆動量制御部２０は、表示パネル２のリフレッシュレートを決定付ける、走査期間と休止期間との比に応じて、各ゲート信号ラインＧに供給する電荷量を制御する。
【００５８】
具体的には、駆動量制御部２０は、複数のゲート信号ラインＧの各々について、当該ゲート信号ラインＧのＯＮ／ＯＦＦ比率（駆動期間の長さと非駆動期間の長さとのデューティ比）が一定に保たれるように、各ゲート信号ラインＧに供給する電荷量を制御する。特に、本実施形態の駆動量制御部２０は、各当該ゲート信号ラインＧの駆動期間の長さを制御することにより、各ゲート信号ラインＧに供給する電荷量を制御する。
【００５９】
ここでいうゲート信号ラインＧの駆動期間とは、そのゲート信号ラインＧにＯＮ電圧（Ｈｉレベル電圧）が印加されている期間を意味する。一方、ゲート信号ラインＧの非駆動期間とは、上記駆動期間以外の期間であり、すなわち、そのゲート信号ラインＧにＯＦＦ電圧（Ｌｏレベル電圧）が印加されている期間を意味する。
【００６０】
（リフレッシュレートの変更例および駆動期間の長さの制御例）
以下、図２を参照して、実施形態１に係る表示装置１による、リフレッシュレートの変更例、および各ゲート信号ラインＧの駆動期間の長さの制御例を説明する。図２は、実施形態１に係る表示装置１による、リフレッシュレートの変更例、および各ゲート信号ラインＧの駆動期間の長さの制御例を示す図である。
【００６１】
図２（ａ）〜（ｃ）は、フレーム期間の構成、および、各フレーム期間における各ゲート信号ラインＧの駆動パルスのパルス波形を示すものである。このうち、図２（ａ）は、通常駆動時を示す。また、図２（ｂ）は、リフレッシュレートの変更時（通常駆動時の１／２）を示す。また、図２（ｃ）は、リフレッシュレートの変更時（通常駆動時の１／３）を示す。以下、通常駆動時のリフレッシュレートが６０Ｈｚであるものとして、説明する。
【００６２】
一方、図２（ａ）〜（ｃ）において、Ｖｓｙｎｃは、フレーム期間毎に発生する垂直同期信号のパルス波形を示す。また、Ｖｇ（０）は、１行目（先頭行）のゲート信号ラインＧの駆動パルスのパルス波形を示す。また、Ｖｇ（ｍ）は、ｍ行目のゲート信号ラインＧの駆動パルスのパルス波形を示す。そして、Ｖｇ（Ｍ）は、Ｍ行目（末尾行）のゲート信号ラインＧの駆動パルスのパルス波形を示す。
【００６３】
（リフレッシュレート：通常駆動時）
図２（ａ）に示すように、通常駆動時（すなわち、リフレッシュレートが６０Ｈｚの場合）の場合、休止期間が設けられず、複数の走査期間が連続して設けられる。各走査期間において、各ゲート信号ラインＧの駆動パルスのパルス数は「１」である。すなわち、各ゲート信号ラインＧの駆動期間の長さは、「１」パルス分であり、各ゲート信号ラインＧの非駆動期間の長さは、「１」フレーム期間分（すなわち、１／６０秒）である。すなわち、各ゲート信号ラインＧのＯＮ／ＯＦＦ比率は「１：１」である。
【００６４】
（リフレッシュレート：通常駆動時の１／２）
図２（ｂ）に示すように、リフレッシュレートが通常駆動時の１／２（すなわち、３０Ｈｚ）に変更された場合、走査期間と休止期間との比が１：１となるように、１つの走査期間と１つの休止期間とが交互に設けられる。
【００６５】
これにより、各ゲート信号ラインＧの非駆動期間の長さは、「２」フレーム期間分（すなわち、２／６０秒）に延長される。これに応じて、各ゲート信号ラインＧの駆動パルスのパルス数は、駆動量制御部２０の制御により、「２」に増やされる。すなわち、各ゲート信号ラインＧの駆動期間の長さは、「２」パルス分に変更される。これにより、各ゲート信号ラインＧのＯＮ／ＯＦＦ比率は、リフレッシュレートの変更前と同じく、「１：１」に保たれる。
【００６６】
（リフレッシュレート：通常駆動時の１／３）
図２（ｃ）に示すように、リフレッシュレートが通常駆動時の１／３（すなわち、２０Ｈｚ）に変更された場合、走査期間と休止期間との比が１：２となるように、１つの走査期間と２つの休止期間とが交互に設けられる。
【００６７】
これにより、各ゲート信号ラインＧの非駆動期間の長さは、「３」フレーム期間分（すなわち、３／６０秒）に延長される。これに応じて、各ゲート信号ラインＧの駆動パルスのパルス数は、駆動量制御部２０の制御により、「３」に増やされる。すなわち、各ゲート信号ラインＧの駆動期間の長さは、「３」パルス分に変更される。これにより、各ゲート信号ラインＧのＯＮ／ＯＦＦ比率は、リフレッシュレートの変更前と同じく、「１：１」に保たれる。
【００６８】
要するに、表示装置１は、走査期間と休止期間との比が１：０の場合（６０Ｈｚの場合）は、上記パルス数を「１」とし、走査期間と休止期間との比が１：１の場合（３０Ｈｚの場合）は、上記パルス数を「２」とし、走査期間と休止期間との比が１：２の場合（２０Ｈｚの場合）は、上記パルス数を「３」とする。表示装置１は、このように上記比に応じて適用する上記パルス数を、予め上記比と対応付けてメモリ等に格納しておいてもよく、上記比が変更される毎に算出してもよい。
【００６９】
（効果）
このように、本実施形態に係る表示装置１（リフレッシュレート変更部１５）は、各ゲート信号ラインＧの走査を休止する休止期間を設けることにより、表示パネル２のリフレッシュレートを下げる構成を採用している。
【００７０】
このようにリフレッシュレートが変更されると、走査期間と休止期間との比が変更されるが、本実施形態に係る表示装置１は、この変更に応じて、各ゲート信号ラインの駆動パルスのパルス数を変更することにより、各ゲート信号ラインＧのＯＮ／ＯＦＦ比率を一定に保つことができる。これにより、本実施形態に係る表示装置１は、スイッチング素子の閾値電圧のシフトを抑制することが可能となっている。
【００７１】
特に、本実施形態に係る表示装置１は、発生させる上記パルス数を変更することにより、上記ＯＮ／ＯＦＦ比率を一定に保つ構成を採用しているため、簡単な構成によりコストを抑えつつ、上記ＯＮ／ＯＦＦ比率を制御することが可能となっている。
【００７２】
（実施形態２）
次に、図３を参照して、本発明に係る実施形態２について説明する。実施形態１では、各ゲート信号ラインＧの駆動パルスのパルス数を制御することにより、各ゲート信号ラインＧの駆動期間の長さを制御することとした。この実施形態２では、各ゲート信号ラインＧの駆動パルスのパルス幅を制御することにより、各ゲート信号ラインＧの駆動期間の長さを制御する例を説明する。なお、以下では、実施形態２に係る表示装置１に関し、実施形態１に係る表示装置１との相違点についてのみ説明する。その他の点については実施形態１の表示装置１と同様であるために、説明を省略する。なお、実施形態１（図２）の説明と同様に、以下、通常駆動時のリフレッシュレートが６０Ｈｚであるものとして、説明する。
【００７３】
（リフレッシュレートの変更例および駆動期間の長さの制御例）
図３は、実施形態２に係る表示装置１による、リフレッシュレートの変更例、および各ゲート信号ラインＧの駆動期間の長さの制御例を示す図である。
【００７４】
（リフレッシュレート：通常駆動時）
図３（ａ）に示すように、通常駆動時（すなわち、リフレッシュレートが６０Ｈｚの場合）の場合、休止期間が設けられず、複数の走査期間が連続して設けられる。各走査期間において、各ゲート信号ラインＧの駆動パルスのパルス幅は「１」パルス分である。すなわち、各ゲート信号ラインＧの駆動期間の長さは、「１」パルス分であり、各ゲート信号ラインＧの非駆動期間の長さは、「１」フレーム期間分（すなわち、１／６０秒）である。すなわち、各ゲート信号ラインＧのＯＮ／ＯＦＦ比率は「１：１」である。
【００７５】
（リフレッシュレート：通常駆動時の１／２）
図３（ｂ）に示すように、リフレッシュレートが通常駆動時の１／２（すなわち、３０Ｈｚ）に変更された場合、走査期間と休止期間との比が１：１となるように、１つの走査期間と１つの休止期間とが交互に設けられる。
【００７６】
これにより、各ゲート信号ラインＧの非駆動期間の長さは、「２」フレーム期間分（すなわち、２／６０秒）に延長される。これに応じて、各ゲート信号ラインＧの駆動パルスのパルス幅は、駆動量制御部２０の制御により、「２」パルス分に増やされる。すなわち、各ゲート信号ラインＧの駆動期間の長さは、「２」パルス分に変更される。これにより、各ゲート信号ラインＧのＯＮ／ＯＦＦ比率は、リフレッシュレートの変更前と同じく、「１：１」に保たれる。
【００７７】
（リフレッシュレート：通常駆動時の１／３）
図３（ｃ）に示すように、リフレッシュレートが通常駆動時の１／３（すなわち、２０Ｈｚ）に変更された場合、走査期間と休止期間との比が１：２となるように、１つの走査期間と２つの休止期間とが交互に設けられる。
【００７８】
これにより、各ゲート信号ラインＧの非駆動期間の長さは、「３」フレーム期間分（すなわち、３／６０秒）に延長される。これに応じて、各ゲート信号ラインＧの駆動パルスのパルス幅は、駆動量制御部２０の制御により、「３」パルス分に増やされる。すなわち、各ゲート信号ラインＧの駆動期間の長さは、「３」パルス分に変更される。これにより、各ゲート信号ラインＧのＯＮ／ＯＦＦ比率は、リフレッシュレートの変更前と同じく、「１：１」に保たれる。
【００７９】
要するに、表示装置１は、走査期間と休止期間との比が１：０の場合（６０Ｈｚの場合）は、上記パルス幅を「１」パルス分とし、走査期間と休止期間との比が１：１の場合（３０Ｈｚの場合）は、上記パルス幅を「２」パルス分とし、走査期間と休止期間との比が１：２の場合（２０Ｈｚの場合）は、上記パルス幅を「３」パルス分とする。表示装置１は、このように上記比に応じて適用する上記パルス幅を、予め上記比と対応付けてメモリ等に格納しておいてもよく、上記比が変更される毎に算出してもよい。
【００８０】
（効果）
このように、本実施形態に係る表示装置１（リフレッシュレート変更部１５）は、各ゲート信号ラインＧの走査を休止する休止期間を設けることにより、表示パネル２のリフレッシュレートを下げる構成を採用している。
【００８１】
このようにリフレッシュレートが変更されると、走査期間と休止期間との比が変更されるが、本実施形態に係る表示装置１は、この変更に応じて、各ゲート信号ラインの駆動パルスのパルス幅を変更することにより、各ゲート信号ラインＧのＯＮ／ＯＦＦ比率を一定に保つことができる。これにより、本実施形態に係る表示装置１は、スイッチング素子の閾値電圧のシフトを抑制することが可能となっている。
【００８２】
特に、本実施形態に係る表示装置１は、発生させる上記パルス幅を変更することにより、上記ＯＮ／ＯＦＦ比率を一定に保つ構成を採用しているため、簡単な構成によりコストを抑えつつ、且つきめ細かく、上記ＯＮ／ＯＦＦ比率を制御することが可能となっている。
【００８３】
（表示パネル２の画素）
次に、上記各実施形態に係る表示装置１が備える表示パネル２の画素について説明する。
【００８４】
上記各実施形態の表示装置１においては、表示パネル２が備える複数の画素の各々のＴＦＴとして、いわゆる酸化物半導体を用いたＴＦＴを採用しており、特に、上記酸化物半導体として、インジウム（Ｉｎ）、ガリウム（Ｇａ）、および亜鉛（Ｚｎ）から構成される酸化物である、いわゆるＩＧＺＯ（ＩｎＧａＺｎＯｘ）が用いられているＴＦＴを採用している。以下、酸化物半導体を用いたＴＦＴの優位性を説明する。
【００８５】
（ＴＦＴ特性）
図４は、酸化物半導体を用いたＴＦＴを含む、各種ＴＦＴの特性を示す図である。この図４では、酸化物半導体を用いたＴＦＴ、ａ−Ｓｉ（amorphous silicon）を用いたＴＦＴ、およびＬＴＰＳ（Low Temperature Poly Silicon）を用いたＴＦＴの各々の特性を示す。
【００８６】
図４において、横軸（Ｖｇ）は、上記各ＴＦＴにおいてゲートに供給されるＯＮ電圧の電圧値を示し、縦軸（Ｉｄ）は、上記各ＴＦＴにおけるソース−ドレイン間の電流量を示す。
【００８７】
特に、図中において「ＴＦＴ−ｏｎ」と示されている期間は、ＯＮ電圧の電圧値に応じたトランジスタのＯＮ状態を示し、図中において「ＴＦＴ−ｏｆｆ」と示されている期間は、ＯＦＦ電圧の電圧値に応じたトランジスタのＯＦＦ状態を示す。
【００８８】
図４に示すように、酸化物半導体を用いたＴＦＴは、ａ−Ｓｉを用いたＴＦＴよりも、ＯＮ状態の時の電子移動度が高い。
【００８９】
図示は省略するが、具体的には、ａ−Ｓｉを用いたＴＦＴは、そのＴＦＴ−ｏｎ時のＩｄ電流が１ｕＡであるのに対し、酸化物半導体を用いたＴＦＴは、そのＴＦＴ−ｏｎ時のＩｄ電流が２０〜５０ｕＡ程度である。
【００９０】
このことから、酸化物半導体を用いたＴＦＴは、ａ−Ｓｉを用いたＴＦＴよりも、ＯＮ状態の時の電子移動度が２０〜５０倍程度高く、ＯＮ特性が非常に優れていることが分かる。
【００９１】
また、図４に示すように、酸化物半導体を用いたＴＦＴは、ＯＦＦ状態のときのリーク電流が、ａ−Ｓｉを用いたＴＦＴよりも少ない。
【００９２】
図示は省略するが、具体的には、ａ−Ｓｉを用いたＴＦＴは、そのＴＦＴ−ｏｆｆ時のＩｄ電流が１０ｐＡであるのに対し、酸化物半導体を用いたＴＦＴは、そのＴＦＴ−ｏｆｆ時のＩｄ電流が０．１ｐＡ程度である。
【００９３】
このことから、酸化物半導体を用いたＴＦＴは、ＯＦＦ状態のときのリーク電流が、ａ−Ｓｉを用いたＴＦＴの１／１００程度であり、リーク電流が殆ど生じない、ＯＦＦ特性が非常に優れたものであることが分かる。
【００９４】
上記各実施形態の表示装置１は、このような酸化物半導体（特に、ＩＧＺＯ）を用いたＴＦＴを各画素に採用している。
【００９５】
これにより、上記各実施形態の表示装置１は、各画素のＴＦＴのＯＮ特性が優れたものとなるために、より小型のＴＦＴで画素を駆動することができるので、各画素において、ＴＦＴが占める面積の割り合いを小さくすることができる。すなわち、各画素における開口率を高め、バックライト光の透過率を高めることができる。その結果、消費電力が少ないバックライトを採用したり、バックライトの輝度を抑制したりすることができるので、消費電力を低減することができる。
【００９６】
また、上記各実施形態の表示装置１は、各画素のＴＦＴのＯＮ特性が優れたものとなるために、各画素に対するソース信号の書き込み時間をより短時間化することもできるので、表示パネル２のリフレッシュレートを容易に高くすることができる。
【００９７】
さらに、上記各実施形態の表示装置１は、各画素のＴＦＴのＯＦＦ特性が優れたものとなるために、表示パネルの複数の画素の各々のソース信号が書き込まれている状態を長期間維持することができるので、高い表示画質を維持しつつ、表示パネル２のリフレッシュレートを容易に低くすることができるのである。
【００９８】
（変形例）
以下、実施形態の変形例を説明する。
【００９９】
（変形例１）
実施形態では、表示装置１は、外部装置からの指示に応じて、リフレッシュレートを変更することとした。これに限らず、例えば、表示装置１は、表示すべき映像データの内容に基づいて、リフレッシュレートを自ら変更することも可能である。
【０１００】
この場合、例えば、表示装置１は、映像データをフレームメモリに格納しておき、このフレームメモリに格納されている映像データに基づいて、リフレッシュレートを変更してもよい。また、表示装置１は、リフレッシュレートの変更条件を、予めメモリ等に格納しておき、この変更条件に基づいてリフレッシュレートを変更してもよい。また、リフレッシュレートの変更条件は様々であってよい。例えば、表示装置１は、公知技術により映像データの動き量を算出し、この動き量が少ない場合は、リフレッシュレートを下げ、この動き量が多い場合は、リフレッシュレートを上げるようにしてもよい。
【０１０１】
また、フレーム毎に、画素値の総和をチェックサム値として算出し、このチェックサム値を以前のフレームのチェックサム値と比較することにより、リフレッシュレートを変更するようにしてもよい。例えば、チェックサム値の差が上限閾値以上の場合は、リフレッシュレートを上げるようにしてもよく、チェックサム値の差が下限閾値以下の場合は、リフレッシュレートを下げるようにしてもよい。
【０１０２】
（変形例２）
実施形態では、表示装置１は、各ゲート信号ラインＧの駆動期間の長さ（すなわち、駆動パルスのパルス数またはパルス幅）を制御することにより、スイッチング素子のＯＮ／ＯＦＦ比率を一定に保つこととした。これに限らず、表示装置１は、各画素の駆動電圧（ＯＮ電圧およびＯＦＦ電圧の少なくともいずれか一方）を制御することにより、スイッチング素子のＯＮ／ＯＦＦ比率を一定に保つのと同様の効果を奏することができる。
【０１０３】
スイッチング素子のＯＮ／ＯＦＦ比率を一定に保つということは、すなわち、スイッチング素子がＯＮ状態のときに画素に供給される第１の電荷量と、スイッチング素子がＯＦＦ状態のときに画素に供給される第２の電荷量との比を一定に保つということである。ここで、上記第１の電荷量をＳ１とし、上記第２の電荷量をＳ２とすると、Ｓ１およびＳ２は以下数式（１）および（２）によって求められる。
【０１０４】
Ｓ１＝Ｖｇｏｎ×Ｔｏｎ・・・（１）
Ｓ２＝Ｖｇｏｆｆ×Ｔｏｆｆ・・・（２）
上記数式（１）において、Ｔｏｎは、１回の書き込みの際の駆動期間（ＯＮ電圧が印加されている期間）の長さを示す。また、Ｖｇｏｎは、上記駆動期間において画素に印加される電圧値を示す。
上記数式（２）において、Ｔｏｆｆは、１回の書き込みの際の非駆動期間（ＯＦＦ電圧が印加されている期間）の長さを示す。また、Ｖｇｏｆｆは、上記非駆動期間において画素に印加される電圧値の絶対値を示す。
【０１０５】
スイッチング素子のＯＮ／ＯＦＦ比率を一定に保つということは、Ｓ２／Ｓ１を一定に保つということと考えられる。そこで、例えば、非駆動期間（すなわち、上記Ｔｏｆｆ）が延長されたことにより上記Ｓ２が増加した場合は、これに応じて、上記Ｓ１を増加させることで、上記Ｓ２／Ｓ１を一定に保つことができる。
【０１０６】
この場合、駆動期間（すなわち、上記Ｔｏｎ）を延長することにより、上記Ｓ１を増加させることができるだけでなく、上記電圧値Ｖｇｏｎを増加させることによっても、上記Ｓ１を増加させることができる。
【０１０７】
また、非駆動期間（すなわち、上記Ｔｏｆｆ）が延長されたことにより上記Ｓ２が増加したとしても、これに応じて、上記電圧値Ｖｇｏｆｆを減少させることによって、上記増加分を相殺し、上記Ｓ２／Ｓ１を一定に保つこともできる。
【０１０８】
いずれの場合も、表示装置１は、スイッチング素子のＯＮ／ＯＦＦ比率を一定に保つのと同様の効果を奏することができ、したがって、信頼性問題の１つとなるスイッチング素子の閾値電圧のシフトを抑えることができる。
【０１０９】
このように、本変形例２の表示装置１（駆動量制御部２０）は、画素が駆動される期間である駆動期間に画素に供給する第１の電荷量（Ｓ１）と、上記駆動区間以外の非駆動期間に画素に供給する第２の電荷量（Ｓ２）との比が、リフレッシュレートの変更前後で一定に保たれるように、複数の画素の各々に印加するＯＮ電圧値（Ｖｇｏｎ）を制御することによって、第１の電荷量（Ｓ１）を制御することができる。
【０１１０】
これにより、本変形例２の表示装置１は、各画素のＯＮ電圧値を制御することによって、各画素における第１の電荷量（Ｓ１）と第２の電荷量（Ｓ２）との比を一定に保つことができる。したがって、スイッチング素子のＯＮ／ＯＦＦ比率を変更することなく、スイッチング素子のＯＮ／ＯＦＦ比率を一定に保つのと同様の効果を奏することができる。
【０１１１】
また、本変形例２の表示装置１（駆動量制御部２０）は、画素が駆動される期間である駆動期間に画素に供給する第１の電荷量（Ｓ１）と、上記駆動区間以外の非駆動期間に画素に供給する第２の電荷量（Ｓ２）との比が、リフレッシュレートの変更前後で一定に保たれるように、複数の画素の各々に印加するＯＦＦ電圧値（Ｖｇｏｆｆ）を制御することによって、第２の電荷量（Ｓ２）を制御することもできる。
【０１１２】
これにより、本変形例２の表示装置１は、各画素のＯＦＦ電圧値を制御することによっても、各画素における第１の電荷量（Ｓ１）と第２の電荷量（Ｓ２）との比を一定に保つことができる。したがって、スイッチング素子のＯＮ／ＯＦＦ比率を変更することなく、スイッチング素子のＯＮ／ＯＦＦ比率を一定に保つのと同様の効果を奏することができる。
【０１１３】
（補足説明）
以上、本発明の実施形態について説明したが、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１１４】
例えば、実施形態に示した、リフレッシュレート等の各種設定値は、単なる例示にしか過ぎない。したがって、これらの設定値は、表示装置の特性や使用目的等により、当然、適切な値に変更され得るものである。
【０１１５】
また、実施形態１で説明したパルス幅の変更、実施形態２で説明したパルス数の変更、変形例２で説明した上記電圧値Ｖｇｏｎの変更、変形例２で説明した上記電圧値Ｖｇｏｆｆの変更のうち、任意の複数の手法を組み合わせることによって、各ゲート信号ラインＧのＯＮ／ＯＦＦ比率を一定に保つようにしてもよい。
【０１１６】
例えば、実施形態１で説明したパルス幅の変更と、実施形態２で説明したパルス数の変更との双方を組み合わせることにより、各ゲート信号ラインＧのＯＮ／ＯＦＦ比率を、リフレッシュレートの変更前後で一定に保つことも可能である。例えば、ゲート信号ラインの駆動期間がパルス幅「１」およびパルス数「１」によって規定されているときに、その駆動期間を３倍に変更する場合、パルス数を「１」としたまま、パルス幅を「３」に変更してもよいし、パルス幅を「１」としたまま、パルス数を「３」に変更してもよいし、パルス幅を「１．５」に変更するとともに、パルス数を「２」に変更してもよい。
【０１１７】
また、例えば、上記駆動期間を１．５倍に変更する場合、パルス数を「１」としたまま、パルス幅を「１．５」に変更してもよいし、パルス幅を「０．７５」に変更するとともに、パルス数を「２」に変更してもよい。
【０１１８】
また、実施形態では、酸化物半導体（特に、ＩＧＺＯ）を用いたＴＦＴを各画素に採用している表示装置へ本発明を適用する例を説明したが、これに限らず、ａ−Ｓｉを用いたＴＦＴや、ＬＴＰＳを用いたＴＦＴ等の、他のＴＦＴを各画素に採用している表示装置にも、本発明を適用することができる。
【０１１９】
各実施形態では、リフレッシュレートを下げる例を説明したが、もちろん、実施形態の表示装置１は、単位時間あたりの走査期間数を増やすことにより、リフレッシュレートを上げることもできる。この場合、表示装置１は、リフレッシュレートを下げる場合とは反対に、各ゲート信号ラインＧの駆動パルスのパルス数を減らしたり、パルス幅を狭めたりすることによって、各ゲート信号ラインＧの駆動期間を減らすことにより、各スイッチング素子のＯＮ／ＯＦＦ比率を一定に保つことができる。これにより、表示装置１は、スイッチング素子の閾値電圧のシフトを抑制することができる。
【０１２０】
（まとめ）
以上のように、本実施形態に係る駆動装置は、複数の画素を有する表示パネルを駆動する駆動装置であって、前記表示パネルが有する複数のゲート信号ラインを順次走査する走査期間と、前記複数のゲート信号ラインの順次走査を休止する休止期間とをそれぞれ設定することにより、前記表示パネルのリフレッシュレートを変更するリフレッシュレート変更手段と、前記走査期間と前記休止期間との比に応じて、前記走査期間において各ゲート信号ラインを駆動する駆動時間を制御する駆動量制御手段とを備えることを特徴とする。
【０１２１】
この駆動装置によれば、表示パネルのリフレッシュレートを変更した場合であっても、上記走査期間と上記休止期間との比に応じて、上記走査期間における各ゲート信号ラインの駆動時間を制御することにより、各スイッチング素子のＯＮ／ＯＦＦ比率を適切なものへと調整することができる。これにより、この駆動装置によれば、信頼性問題の１つとなるスイッチング素子の閾値電圧のシフトを抑えることができる。
【０１２２】
また、上記駆動装置において、前記駆動量制御手段は、前記複数のゲート信号ラインの各々について、当該ゲート信号ラインの駆動時間と、当該ゲート信号ラインの前記駆動時間以外の非駆動時間との比が、リフレッシュレートの変更前後で一定に保たれるように、当該ゲート信号ラインの駆動時間を制御することが好ましい。
【０１２３】
上記駆動時間と上記非駆動時間との比を一定に保つということは、スイッチング素子のＯＮ／ＯＦＦ比率を一定に保つのと同様の効果を奏することができるということである。したがって、この構成によれば、より確実に、各スイッチング素子のＯＮ／ＯＦＦ閾値のシフトを抑えることができる。なお、上記駆動時間と上記非駆動時間との比が完全に一定に保たれなくとも、少なくとも上記ＯＮ／ＯＦＦ閾値のズレを許容範囲内に収めるような制御であれば、この制御は、ここで規定する「一定に保たれるように制御する」の範疇に含まれる。
【０１２４】
また、上記駆動装置において、前記駆動量制御手段は、前記複数のゲート信号ラインの各々について、当該ゲート信号ラインの駆動パルスのパルス幅を制御することにより、当該ゲート信号ラインの駆動時間を制御することが好ましい。
【０１２５】
この構成によれば、比較的簡単な構成により上記電荷量を制御できるため、コストを抑えつつ、各スイッチング素子のＯＮ／ＯＦＦ比率を適切なものへと調整することができる。また、上記電荷量を無段階に制御できるため、各スイッチング素子のＯＮ／ＯＦＦ比率を、きめ細かく調整することができる。
【０１２６】
また、上記駆動装置において、前記駆動量制御手段は、前記複数のゲート信号ラインの各々について、当該ゲート信号ラインの駆動パルスのパルス数を制御することにより、当該ゲート信号ラインの駆動時間を制御することが好ましい。
【０１２７】
この構成によれば、比較的簡単な構成により上記電荷量を制御できるため、コストを抑えつつ、各スイッチング素子のＯＮ／ＯＦＦ比率を適切なものへと調整することができる。
【０１２８】
また、本実施形態に係る表示装置は、複数の画素を有する表示パネルと、上記駆動装置を備えたことを特徴とする。
【０１２９】
この表示装置によれば、上記駆動装置と同様の効果を奏する表示装置を提供することができる。
【０１３０】
上記表示装置において、前記複数の画素の各々が有するスイッチング素子の半導体層には、酸化物半導体が用いられていることが好ましい。特に、上記表示装置において、前記酸化物半導体は、インジウム（Ｉｎ）、ガリウム（Ｇａ）、および亜鉛（Ｚｎ）から構成される酸化物であることが好ましい。
【０１３１】
この構成によれば、各画素のＯＮ特性およびＯＦＦ特性が非常に優れたものとなり、リフレッシュレートの大幅な増減が容易に可能となるため、リフレッシュレートの変更に伴う、ＯＮ／ＯＦＦ閾値のズレが生じ易く、よって、このズレを解消する必要性が高くなる。このため、このような表示装置において本実施形態の表示装置を適用することにより、より有用な効果を奏することができる。
【産業上の利用可能性】
【０１３２】
本発明に係る駆動装置および表示装置は、複数のゲート信号ラインを順次走査することにより、マトリクス状に配置された複数の画素の各々のスイッチング素子を画素行単位で駆動する、いわゆるマトリクス型の各種表示装置において利用可能である。
【符号の説明】
【０１３３】
１        表示装置
２        表示パネル
１０      ディスプレイ駆動回路（駆動装置）
１２      タイミングコントローラ
１４      走査線駆動回路
１５      リフレッシュレート変更部（リフレッシュレート変更手段）
１６      信号線駆動回路
１８      共通電極駆動回路
２０      駆動量制御部（駆動量制御手段）
２８      電源生成回路
３０      システム側コントロール部
【図１】
2013125405.tif 000003
【図２】
2013125405.tif 000004
【図３】
2013125405.tif 000005
【図４】
2013125405.tif 000006
【図５】
2013125405.tif 000007
【図６】
2013125405.tif 000008
【図７】
2013125405.tif 000009
【国際調査報告】
2013125405.tif 000010
2013125405.tif 000011
2013125405.tif 000012
2013125405.tif 000013